(57)【特許請求の範囲】
【請求項１】
ジンタン錘とする帯状の鉛板を所定の長さ押し出して釣り糸を挟持固定して、切断するジンタン錘とする帯状の鉛板取付け具であって、
外枠、鉛板押出し装置、成型装置、プレス切断装置から構成され、
前記外枠は、巻回した帯状の鉛板を収納する筐体を構成すると共に外部から釣り糸を導入する入り江状の開口及び成型される鉛板を受ける底部を有する作業溝を備え、押し出された鉛板が送られる前方の作業溝を超えた位置に鉛板止め壁を設け、
前記鉛板押出し装置は、上記外枠上に設けたスライドキ−を引き出された鉛板に接して配置して、そのスライド操作により、鉛板を上記作業溝に向けて押し出し操作可能とし、
前記成型装置は、成型アームを前記作業溝底部に向けて突出して設けた成型キーを前記外枠上に該作業溝に向けて押し込み操作可能に設け、
前記プレス切断装置は、上記作業溝に向けて押し込み操作可能なプレス・カッター作動キーを備え、
該プレス・カッター作動キーは、該作業溝内でV字若しくはＵ字状に成形されて釣り糸をセットした鉛板を押圧するプレス板及びプレス板の押圧操作と位相差を以て作動するように配置されたカッターを備え、
てなる、
ことを特徴とするジンタン錘とする帯状の鉛板取り付け器。
【請求項２】
前記鉛板押出し装置は、鉛板に押圧されてその回動操作により、鉛板を押出し移送するローラからなることを特徴とする、請求項１記載のジンタン錘とする帯状の鉛板取付け具。
【請求項３】
上記プレス・カッター作動キーは、外枠側壁に設けた作動支点により回動操作することを特徴とする、請求項１又は２記載のジンタン錘とする帯状の鉛板取付け具。
【請求項４】
前記プレス切断装置のカッターは、
プレス・カットキーを押し込み操作することによって、カッター作動レバーを回動駆動して、該カッターを鉛板に向けて押し出し操作することによって鉛板を切断・分離するようにしたことを特徴とする、請求項１又は２記載のジンタン錘とする帯状の鉛板取付け具。
【発明の詳細な説明】
【技術分野】
【０００１】
本発明は、魚釣りに用いる通称ジンタン、或いはガン玉と呼称される微小な鉛の錘に相当する帯状の鉛板を、釣り糸に取り付けるための道具であって、微小で扱いにくい錘に細い釣り糸を咬み込ませて容易に取り付けるためのジンタン錘とする帯状の鉛板取り付け器に関する。
【背景技術】
【０００２】
浮き釣りでは、ジンタンは極く小さな道具であるが、魚信を読み取りやすく、又付けエサが流れに乗って自然な状態で流れるようにするための微妙な浮力の調整に重要な効果を達成する。特に、浮きを水面ぎりぎりに浮かせて風の影響を受けにくくすることや、浮きが付けエサと共にゆっくり水中に沈んで、撒餌の沈降速度と同調させる、などさまざまな重要な機能を達成する上で欠かすことが出来ないものである。
【０００３】
第１図に従来一般に用いられているジンタン１０の例を示す。
一般に球形、或いは楕円形状であって、錘部１１に割れ溝１２が形成され、この割れ溝１２に釣り糸１３を挟み込み、錘部１１を両側から押圧して釣り糸に固定する。
【０００４】
しかし、小さいとはいえ現在一般に使用されている錘は、取扱上あまり小さくできないために、釣り糸はその重さに引かれて流れのある水中で屈折した状態となる（図２参照）。
その結果、魚信が釣り糸を経由して直接的に伝達されず、また水流のある場所での付けエサの動きが不自然になる。
【０００５】
更に、ジンタン１０は小さく、釣り糸も透明であるため取扱い難く、通常収納容器に入れて携行するが、容器から取り出す際に、摘み難く、往々にして溢すことが多いなど、扱い難い。
【先行技術文献】
【特許文献】
【０００６】
【特許文献１】特開平１１−４６４４号公報
【特許文献２】特開２００３−９２９６１号公報
【発明の開示】
【発明が解決しようとする課題】
【０００７】
本発明は、前記のジンタンンの取扱いの問題、特に釣り糸への取付けを容易にすることを課題とする。
【課題を解決するための手段】
【０００８】
本発明は、ジンタン錘とする帯状の鉛板の取り付け器であって、外枠、鉛板押出し装置、成型装置、プレス切断装置から構成される。
前記外枠は、帯状の鉛板を巻回した交換可能なボビンを収納する筐体を構成すると共に外部から釣り糸を導入する入り江状の開口及び鉛板を受ける底部を有する作業溝を備え、該ボビンから押し出された鉛板が送られる前方の作業溝を超えた位置に鉛板止め壁を設け、
前記鉛板押出し装置は、上記外枠上に設けたスライドキ−をボビンから繰り出された鉛板に接して配置して、そのスライド操作により、鉛板を上記作業溝に向けて押し出し操作可能とし、
前記成型装置は、成型アームを前記作業溝底部に向けて突出して設けた成型キーを前記外枠上に該作業溝に向けて押し込み操作可能に設け、
プレス切断装置は、上記外枠側壁外から上記作業溝に向けて押し込み操作可能なプレス・カッター作動キーを備え、
該プレス・カッター作動キーは、前記作業溝内でV字若しくはＵ字状に成形されて釣り糸をセットした鉛板を押圧するプレス板及びプレス板の押圧操作と位相差を持って作動するように配置されたカッターを備え、
てなる。
【０００９】
本発明のジンタン錘とする帯状の鉛板取り付け器は、以上の構成からなることにより、ジンタン錘とする鉛素材は、帯状の鉛板として交換可能なボビンに巻き取られて、外枠で形成される筐体内にセットされることにより収納され、外枠外の鉛板押出し装置を操作してボビンに巻き取られた鉛板を押して繰り出し、鉛板止め壁に当接させて所定長さで制止し、
次いで、上記成型装置の成型キーの押し込み操作により成型アームにより作業溝上の鉛板を作業溝底部に押し込んでＶ字状に成形し、
更に、釣り糸を上記作業溝の入り江状の開口から導入して該Ｖ字状の鉛板の間に収容して、上記プレス・カッター作動キーの押し込み操作によって、Ｖ字状に成型された鉛板両側から上記プレス板によって鉛板を押圧して釣り糸を挟持固定し、次いで、位相差を持って動作するカッターにより鉛板を切断・分離して、ジンタン錘となる鉛板を釣り糸に組み付け、ジンタン錘とする帯状の鉛板錘の取付け操作を完了する。
【発明の効果】
【００１０】
本発明のジンタン錘とする帯状の鉛板取り付け器は、容易に、且つ迅速に軽量で小さな鉛板をジンタン錘として釣り糸に取り付けることが出来、また、釣り糸上に多数のジンタンをバランスよく、取り付けることが出来るため、錘の荷重が一点に集中することがない。
また、ジンタン錘となる素材を帯状の鉛板として外枠から構成する筐体内に収納して、必要に応じて随時切り分けて、釣り糸に小さいジンタン錘として取り付けることが出来る。
【図面の簡単な説明】
【００１１】
【図１】従来のジンタンの取り付け状態を示す斜視図。
【図２】従来のジンタンを釣り糸に取り付けた使用状態図。
【図３】本発明の平面図。
【図４】本発明の鉛板押出し動作を示す動作説明図。
【図５】本発明の成型動作説明図。
【図６】本発明の釣り糸設置動作説明図。
【図７】本発明のプレス動作説明図。
【図８】本発明のカッター動作説明図。
【図９】本発明のジンタン取付け動作工程図。
【図１０】本発明のジンタン取付け完了後の斜視図。
【図１１】本発明のジンタンの使用状態図。
【図１２】本発明の他の実施例の分解図。
【図１３】本発明の他の実施例の鉛板を巻回したボビンのセット状態説明図。
【図１４】本発明の鉛板押出し装置の他の実施例。
【発明を実施するための最良の形態】
【００１２】
以下に、本発明の具体的構成を図３〜１４により説明する。
図３に示す本発明のジンタン錘とする帯状の鉛板取付器は、筐体を形成する外枠２０、鉛板３０、鉛板押出し装置４０、成型装置５０、及びプレス切断装置６０から構成される。
【００１３】
外枠２０は、入江状の開口とV字状の底部を備えた作業溝２００を設け、また、外枠２０からなる筐体の内部は第１ブロック２１、第２ブロック２２、第３ブロック２３、第４ブロック２４に区画され、第１ブロック２１内には巻回した鉛板を（或いは鉛板を巻回したボビン）をセットする鉛板巻軸２１０が設けられ、且つ、第１ブロック２１の上方には鉛板走行溝２１１が水平に延長されて作業溝２００へ通じる。
第２ブロック２２は、第１ブロック２１の上方に位置して、該第２ブロック２２外側壁にスライドキー走行スリット２２０が開口されていて、下方には押出しバネ板４２の作動空間２２１及び逆止バネ４３の通し孔２２２が開口される。
第３ブロック２３は、図上第１ブロック２１の左側にあって、その上方にはプレス板走行台２３０が水平に配置されて前記作業溝２００の底部を構成し、成型される鉛板を収容する段差を以て鉛板走行溝２１１に立ち上がる。
第３ブロック２３には、その片隅にプレス・カットキー６３を押し込み操作するためのプレス・カットキー作動支点２３１が設けられている。
第４ブロック２４は、第３ブロック２３の上方に傾斜状開口を形成して、その開口に成型装置５０の成型キー５１を前記作業溝に向けて押し込み操作可能に配置し、成型キー５１の成型アーム５２を成型アーム走行溝２４０を挿通させて前記作業溝２００まで突出貫通させる。
第４ブロック２４には成形装置５０を外枠の傾斜開口に嵌合させて設けるため、脱離防止ストッパー２４２が形成されている。
【００１４】
鉛板３０は、帯状で鉛板巻軸２１０に巻き取られた状態で第１ブロック２１の中心に位置する鉛板巻軸２１０にセットされ、その鉛板３０先端を引き出して鉛板走行溝２１１を走行して作業溝２００へと導かれる。
【００１５】
鉛板押出し装置４０は、押出しスライドキー４１、押出しバネ板４２、及び逆止バネ４３にて構成される。
該押出しスライドキー４１は、第２ブロック２２上方のスライドキー走行溝２２０内を図上左右方向にスライド操作可能とされ、該押出しスライドキー４１の下部に弾力性金属からなる押出しバネ板４２の一端を固定し、他端を押出しバネ板４２の作動空間２２１を挿通して鉛板走行溝２１１上の鉛板３０に斜め方向に当接して押圧する。
この構成によりスライドキー４１を鉛板３０を押し出す方向にスライド移動させると、押出しバネ４２の他端が、押出しバネ作動空間２２１を経て鉛板走行溝２１１上の鉛板３０を所定距離押圧移送し、前記作業溝２００を越えて相対する鉛板止め壁２４１に当接してその位置に制止する。
【００１６】
成型装置５０は、成型キー５１、成型アーム５２、及び成型キー復帰バネ５３から構成される。
成型キー５１は、第４ブロック２４内に押し込み操作可能であって、その成型キー５１の先端の離脱防止凸部５１１は前記離脱防止ストッパー２４２により当接して脱着を防止する。
成型アーム５２の一端は成型キー５１に埋め込み固定され、他端は成型アーム走行溝２４０を挿通して、作業溝２００の底部に向けて突出操作可能とされる。
成型キー復帰バネ５３は、成型キー５１の作業溝２００に向けた押し込み、突出操作後に原位置に復帰させるための復帰スプリングである
【００１７】
プレス切断装置６０は、プレス板６１、カッター６２、プレス・カッター作動キー６３、プレス・カッター復帰スプリング６４、及びカッター台座６５から構成される。
プレス板６１には、プレス・カッター作動キー６３に対する作動スペース６１０の開口があり、また、プレス走行台２３０上をスライド移動可能である。
カッター６２は、硬質金属性でプレス板６１上に密着して共にプレス台２３０上を走行可能である。
カッター６２の一端は刃先として作業溝２００に向けて配置され、他端にはプレス・カッター作動キー６３に係合するカッター連動孔６２０が設けられる。
プレス・カッター作動キー６３は、第３ブロック２３底辺近傍のプレス・カットキー作動支点２３１を支点として、前後傾動操作可能である。
プレス・カッター作動キー６３には、連動アーム６３０が延長して形成され、その先端の連動アーム爪６３１が前記カッター６２の連動孔６２０と係合し、さらにスレス板６１の作動スペース６１０の開口に挿通されている。
プレス・カッター復帰スプリンング６４は板バネでプレス切断装置６０のプレス・カットキー６３を操作後、原位置に復帰させる。
プレス・カッター作動キー６３の押し込み操作により連動アーム６３０の連動アーム爪６３１はカッター６２を作動させると共に上記プレス・カッター復帰スプリンング６４を介してプレス板６１を連動させ、先ずプレス板６１によって作業溝２００内のＶ字状に成形された鉛板を押圧して釣り糸を挟持させるが、鉛板の切断操作はこの鉛板の圧着操作後に作動スペース６１０の開口に挿通された連動アーム爪６３１がこの作動スペースに沿ってカッター６２を進行させることによって、プレス板６１の動作と位相差を設けることによって行う。
カッター台座６５は鋼材からなり、鉛板走行溝２１１の底辺に設けられて、前記作業溝２００を経てカッター６２と相対して配置され、カッター６２とせん断状に咬み合わされて鉛板３０を切断する（図３、９参照）。
【００１８】
第４，９図は、押出しスライドキー４１に固定された押出しバネ板  ４２が下方の鉛板走行溝２１１上の鉛板３０を作業溝２００を越えて押出し操作し、鉛板止め壁２４１に押し当てる状態を示す。
押出しスライドキー４１を原位置に復帰操作する際には、逆止バネ板４３が鉛板を制止する。
【００１９】
第５，９図は、成型キー５１による成型動作を示す。
成型キー５１を押し込むと、成型キー復帰バネ５３を圧縮して成型アーム５２を作業溝２００を跨いで突出する鉛板３０を作業溝２００の底へ向けて押込み、鉛板３０をＶ字型に整形する。成型キー５１を解放すると成型キー復帰バネ５３の作用により成型キーは自動的に元の位置に復帰する。
【００２０】
第６，９図は、釣り糸を矢印のように作業溝２００の上方の開口部から低部の鉛板３０がＶ字状に成型された中に送り込んでセットする動作を示す。
【００２１】
第７，９図は、プレス・カッター作動キー６３を操作して、作業溝２００内の鉛板に送り込まれた釣り糸を挟みつける動作を示す。
プレス・カッター作動キー６３を押し込み操作すると、連動アーム６３０の先端の連動アーム爪６３１がカッター６２を連動して作業溝２００の方向に進出させ、同時にプレス板６１もプレス・カッターキー復帰スプリング６４を介して押圧されて作業溝２００に向け突出し、作業溝２００底部のＶ字状に成型された鉛板３０を加圧して釣り糸７０を挟み付ける。
【００２２】
第８、９図は、続けてプレス・カッター作動キー６３を押し込むことにより、釣り糸７０を挟み付けた鉛板３０を切断する動作を示す。
プレス・カッター作動キー６３を上記操作に続けて押込むと、連動アーム６３０の連動アーム爪６３１がカッター６２を推し進めると共に、プレス板６１もプレス・カッター復帰スプリング６４を介して更に推し進められ、最終的にＶ字状に成型された鉛板３０が押し合わされてプレス板６１は停止するが、連動アーム６３０の連動アーム爪６３１が係合するプレス板６１の作動スペース６１０の開口に一定のスペースがあるため、カッター６２はさらに進行して、作業溝２００を超えて相対するカッター台座６５との間で鉛板３０をせん断し、切断分離する。
ここで、プレス・カッター復帰スプリング６４は、Ｖ字状の鉛板３０を挟圧して釣り糸を咬み込ませるに十分な弾発力を有する。
【００２３】
第９図は、以上の動作を一連のコマ送りにて示す動作説明図である。
【００２４】
第１０，１１図は、本発明のジンタン錘とする帯状の鉛板取付け器により手指では取り扱いが困難な小さなジンタン３１をバランスよく釣り糸７０に段打ちし、それによって流水中で釣り糸を屈折状とせずに直線状に保つことができる状態を示す。現在の市販の小粒ジンタンは、取扱いの制約上、径２．４ｍｍ、０．０７ｇであるが、本発明のジンタン取付け器によれば、０．０４ｇの微小なジンタンの装着が可能であり、このような形態にジンタンを分布して取り付けることによって、微妙な魚信を伝えやすくすることができる。
【００２５】
また、従来のジンタン錘は、収納ケースから取り出す際や取付け時に取り落としやすく、扱い難いのに対して、本発明のジンタン錘とする帯状の鉛板取付け器によれば、ボビンや軸に巻回して収納された鉛板を用いてすべての取付け作業を行うことができるため、取り付け作業後、はさみ、ペンチ等の小間物類を取回す必要はなく、これらを取り落とすこともない。
【００２６】
第１２，１３図は、他の実施例であって、基本的な構造は前記と同様であるが、
外枠２０に替えて、ベース外枠２５、第２ブロック蓋２６、第３ブロック蓋２７及び第１ブロック開閉蓋２８を有する。
ベース外枠２５は、第１ブロック２１を有し、その横には複数のフック凹部２１３を設ける。第２ブロック蓋２６は、ボルト（図示せず。）によって、ベース外枠２５と結合し、第２ブロック２２の蓋とする。第３ブロック蓋２７もボルト（図示せず。）によりベース外枠２５と結合し、第３ブロック２３の蓋とする。
第１ブロック開閉蓋２８の側辺にヒンジ軸２８０を設け、他辺には複数のフック凸部２８１を設ける。そのヒンジ軸２８０を第３ブロック蓋２７の側辺に設けて、第１ブロック開閉蓋２８をそのヒンジ軸２８０を軸として回動可能として、第１ブロック開閉蓋２８の開閉蓋とする。
第１ブロック開閉蓋２８が第１ブロック２１を閉じると、フック凸部２８１は弾力を以てフック凹部２１３と結合し、第１ブロック開閉蓋２８を係合して固定する。
【００２７】
第１３図は、第１ブロック２１にある鉛板３０を使い切ったときに、第４ブロック開閉蓋２８を開いて新たな鉛板３０を巻回したボビンを補充する態様を示す。
【００２８】
また、図１４は本発明のジンタン錘とする帯状の鉛板取り付け器の他の実施例であって、鉛板押出し装置４０をローラ構造に替え、回動操作可能な鉛板押出しローラ４５を鉛板に接して設けて、手指で該鉛板押出しローラ４５を回転操作して前記作業溝に向けて鉛板３０を押出し移送する。
また、プレス切断装置６０のプレスカットキー６３を支点の周りに回動する形式から一対の復帰スプリング６４４の弾発力に抗して作業溝２００に向けて押込み操作する形式とし、プレスカットキー６３の押込み操作によってプレスカッタ―作動キー復帰スプリング６４４を介してプレス板６１１を押圧し、釣り糸をセットした鉛板３０を挟持させた後、さらにプレスカットキーを押し込み操作することによって、カッター作動レバー６２３を回動駆動して、カッター６２１を鉛板３０に向けて押し出し操作し、釣り糸を挟持した鉛板を切断・分離する。
前記実施例のジンタン錘とする帯状の鉛板取付け器のスライド方式による鉛板押出し装置に比べて、鉛板の押し出し操作がスムーズで、カッターによる鉛板の切断操作も確実に行うことができる。
【符号の説明】
【００２９】
１０    ジンタン
１１    錘
１２    割れ溝
１３    釣り糸
２０    外枠
２００  作業溝
２１    第１ブロック
２１０  鉛板巻軸
２１１  鉛板走行溝
２１２  鉛板スペース
２１３  フック凹部
２２    第２ブロック
２２０  スライドキー走行溝
２２１  押出しバネ板作動空間
２２２  逆止バネ板通し孔
２３    第３ブロック
２３０  プレス板走行台
２３１  プレス・カットキー作動支点
２４    第４ブロック
２４０  成型アーム走行溝
２４１  鉛板止め壁
２４２  脱離防止ストッパー
２５    ベース外殻
２６    第２ブロック蓋
２７    第３ブロック蓋
２８    第１ブロック開閉蓋
２８０  ヒンジ軸
２８１  フック凸部
３０    鉛板
３１    ジンタン錘とする帯状の鉛板
４０    鉛板押出し装置
４１    押出しスライドキー
４２    押出しバネ板
４３    逆止バネ板
４５    押出しローラ
５０    成型装置
５１    成型キー
５１０  成型キー・スライド部
５１１  離脱防止柱
５２    成型アーム
５３    成型キー復帰バネ
６０    プレス切断装置
６１    プレス板
６１０  作動スペース
６１１  プレス板
６２    カッター
６２０  カッター連動孔
６２１  カッター
６２２  カッター復帰スプリング
６２３  カッター作動レバー
６３    プレス・カッター作動キー
６３０  連動アーム
６３１  連動アーム爪
６４    プレス・カッターキー復帰スプリング
６４４  プレス・カッターキー復帰スプリング
６５    カッター台座
６５０  カッター導入勾配
７０    釣り糸
【図１】
0006758138.tif 000002
【図２】
0006758138.tif 000003
【図３】
0006758138.tif 000004
【図４】
0006758138.tif 000005
【図５】
0006758138.tif 000006
【図６】
0006758138.tif 000007
【図７】
0006758138.tif 000008
【図８】
0006758138.tif 000009
【図９】
0006758138.tif 000010
【図１０】
0006758138.tif 000011
【図１１】
0006758138.tif 000012
【図１２】
0006758138.tif 000013
【図１３】
0006758138.tif 000014
【図１４】
0006758138.tif 000015